(57)【特許請求の範囲】
【請求項１】
内容物が収容された容器体の口部に装着される有頂筒状の装着キャップと、
この装着キャップに上方付勢状態で下方移動可能に貫設されたステムを有するポンプと、
前記ステムの上端に装着されるとともに、吐出部が径方向の外側に突出するように配設された押下ヘッドと、を備え、
前記押下ヘッドを押下して前記ステムを下方に移動させ前記ポンプを作動させることにより、容器体内の内容物が移送されて前記吐出部から吐出される吐出器であって、
前記装着キャップの天壁部には、押下ヘッドの上下動を案内する案内部材が上方に向けて延設され、
前記押下ヘッドには、前記吐出部を露出させた状態で該押下ヘッドを覆う筒状のカバー体が装着されるとともに、該カバー体を形成する材質よりも硬度が低い軟質材で形成された環状体が径方向の外側に向けて突設され、
該環状体の上面は前記カバー体の下端開口縁に径方向の全域にわたって対向し、
前記押下ヘッドは、前記カバー体の内周面に嵌合されるとともに、前記吐出部が別部材にて構成されていることを特徴とする吐出器。
【請求項２】
請求項１記載の吐出器であって、
前記カバー体の下端開口縁は、前記環状体上に載置されていることを特徴とする吐出器。
【請求項３】
請求項１または２に記載の吐出器であって、
前記押下ヘッドには、径方向の外側に向けて回り止め突部が突設され、前記案内部材の内面には、前記回り止め突部が上下動自在に係合される縦溝が形成されていることを特徴とする吐出器。
【請求項４】
請求項３記載の吐出器であって、
前記カバー体には前記回り止め突部が係合される係合孔が形成されていることを特徴とする吐出器。
【請求項５】
請求項１から４のいずれか１項に記載の吐出器であって、
前記カバー体は金属材料で形成され、前記押下ヘッドおよび環状体は合成樹脂材料で一体に形成されていることを特徴とする吐出器。
【発明の詳細な説明】
【技術分野】
【０００１】
本発明は、吐出器に関するものである。
【背景技術】
【０００２】
従来から、吐出器として、内容物が収容された容器体の口部に装着される有頂筒状の装着キャップと、この装着キャップに上方付勢状態で下方移動可能に貫設されたステムを有するポンプと、ステムの上端に装着されるとともに吐出部が配設された押下ヘッドと、を備え、装着キャップの天壁部に、押下ヘッドの上下動を案内する案内部材が上方に向けて延設された構成が知られている。この吐出器においては、押下ヘッドを押下してステムを下方に移動させポンプを作動させることにより、容器体内の内容物が移送されて吐出部から吐出される。
この種の吐出器として、例えば下記特許文献１に示されるような、押下ヘッドに筒状のカバー体が外嵌された構成が知られている。なお、このようにカバー体を押下ヘッドに装着することで、例えば装飾効果が容易若しくは飛躍的に高められること等が期待される。
【先行技術文献】
【特許文献】
【０００３】
【特許文献１】特開２００７−１６７８３２号公報
【発明の概要】
【発明が解決しようとする課題】
【０００４】
しかしながら、前記従来の吐出器では、カバー体が一般に押下ヘッドを形成する材質よりも硬度が高い硬質材で形成されているので、カバー体の下端開口縁が前記案内部材に接触することでこの案内部材が損傷するおそれがあった。
【０００５】
この発明は、このような事情を考慮してなされたもので、押下ヘッドの上下動を案内する案内部材がカバー体によって損傷するのを抑制することができる吐出器を提供することを目的とする。
【課題を解決するための手段】
【０００６】
上記課題を解決して、このような目的を達成するために、本発明の吐出器は、内容物が収容された容器体の口部に装着される有頂筒状の装着キャップと、この装着キャップに上方付勢状態で下方移動可能に貫設されたステムを有するポンプと、前記ステムの上端に装着されるとともに、吐出部が径方向の外側に突出するように配設された押下ヘッドと、を備え、前記押下ヘッドを押下して前記ステムを下方に移動させ前記ポンプを作動させることにより、容器体内の内容物が移送されて前記吐出部から吐出される吐出器であって、前記装着キャップの天壁部には、押下ヘッドの上下動を案内する案内部材が上方に向けて延設され、前記押下ヘッドには、前記吐出部を露出させた状態で該押下ヘッドを覆う筒状のカバー体が装着されるとともに、該カバー体を形成する材質よりも硬度が低い軟質材で形成された環状体が径方向の外側に向けて突設され、該環状体の上面は前記カバー体の下端開口縁に径方向の全域にわたって対向し、前記押下ヘッドは、前記カバー体の内周面に嵌合されるとともに、前記吐出部が別部材にて構成されていることを特徴とする。
【０００７】
この発明によれば、押下ヘッドに前記環状体が設けられているので、押下ヘッドおよびカバー体と装着キャップとが相対的に移動し、押下ヘッドおよびカバー体が案内部材に接触しようとしたときに、カバー体の下端開口縁ではなく環状体が案内部材に接触することとなり、案内部材の損傷を防止することができる。
【０００８】
ここで、前記カバー体の下端開口縁は、前記環状体上に載置されてもよい。
【０００９】
この場合、カバー体の下端開口縁が、環状体上に載置されていてこの環状体によって完全に被覆されているため、カバー体の下端開口縁に例えば研磨等の加工を施さなくても、案内部材の損傷を確実に防止することができる。
【００１０】
また、前記押下ヘッドには、径方向の外側に向けて回り止め突部が突設され、前記案内部材の内面には、前記回り止め突部が上下動自在に係合される縦溝が形成されてもよい。
【００１１】
この場合、回り止め突部が縦溝の内面に引っ掛かることで、押下ヘッドおよび装着キャップの相対的な周方向の位置ずれを規制することが可能になるとともに、案内部材により押下ヘッドの上下動をより一層確実に案内させることができる。また、吐出器の組立て時に、回り止め突部を縦溝に係合させることで、押下ヘッドおよび装着キャップの相対的な周方向の位置を容易かつ高精度に決めることができる。
【００１２】
さらに、前記カバー体には前記回り止め突部が係合される係合孔が形成されてもよい。
【００１３】
この場合、カバー体に回り止め突部が係合される係合孔が形成されているので、カバー体および押下ヘッドの相対的な周方向の位置ずれが規制され、また吐出器の組立て時に、回り止め突部を係合孔に係合させることで、カバー体および押下ヘッドの相対的な周方向の位置を容易かつ高精度に決めることができる。
【００１４】
また、前記カバー体は金属材料で形成され、前記押下ヘッドおよび環状体は合成樹脂材料で一体に形成されてもよい。
【００１５】
この場合、カバー体が金属材料で形成されているので、案内部材の損傷を防止する作用効果が顕著に奏されるとともに、この吐出器に高級感を具備させることが可能になる。
【発明の効果】
【００１６】
この発明によれば、押下ヘッドの上下動を案内する案内部材がカバー体によって損傷するのを抑制することができる。
【図面の簡単な説明】
【００１７】
【図１】本発明に係る一実施形態として示した吐出器の一部縦断面図である。
【図２】本発明に係る他の実施形態として示した（ａ）吐出器の一部縦断面図、および（ｂ）押下ヘッドにカバー体を装着した組立体の斜視図である。
【図３】本発明に係るさらに他の実施形態として示した吐出器の一部縦断面図である。
【図４】図３に示す吐出器のうち押下ヘッド、カバー体および吐出部の分解斜視図である。
【発明を実施するための形態】
【００１８】
以下、図面を参照し、この発明の実施の形態について説明する。
本実施形態に係る吐出器１は、図１に示されるように、内容物が収容された容器体２の口部２ａに装着される有頂筒状の装着キャップ１１と、この装着キャップ１１に上方付勢状態で下方移動可能に貫設されたステム１２を有するポンプ１３と、ステム１２の上端に装着されるとともに吐出部１４ａが配設された押下ヘッド１４と、を備え、押下ヘッド１４を押下してステム１２を下方に移動させポンプ１３を作動させることにより、容器体２内の内容物が移送されて吐出部１４ａから吐出されるようになっている。
【００１９】
ここで、容器体２、装着キャップ１１およびステム１２それぞれの中心軸は共通軸上に位置している。以下、この共通軸を中心軸Ｏといい、中心軸Ｏ方向に沿って容器体２の口部２ａ側を上側、容器体２の図示されない底部側を下側といい、また中心軸Ｏに直交する方向を径方向といい、さらに中心軸Ｏを中心に周回する方向を周方向という。
【００２０】
装着キャップ１１は、中央部に円形の開口が形成された天壁部１７と、天壁部１７の外周縁部から下方に向けて延設された周壁部２１と、天壁部１７に前記開口と同軸に配置されるとともに上方に向けて延設されて押下ヘッド１４の上下動を案内する案内部材２２と、を備えている。
周壁部２１の内周面には雌ねじ部が形成されており、この雌ねじ部が容器体２の口部２ａに形成された雄ねじ部に螺合されることにより、装着キャップ１１が容器体２に装着されている。案内部材２２は円筒状に形成されている。
【００２１】
ポンプ１３は、前記ステム１２と、内部にステム１２の下部が上下動自在に配設されたシリンダ２３と、シリンダ２３の内部に上下摺動自在に配設された図示されないピストン部材と、ステム１２を上方に向けて付勢する図示されない付勢部材と、を備えている。
ステム１２の上部は、シリンダ２３の上端および装着キャップ１１の天壁部１７から上方に突出し、装着キャップ１１の案内部材２２内に配設されている。
シリンダ２３は、円筒状に形成されるとともに前記中心軸Ｏと同軸に配設されている。シリンダ２３の上端には、全周にわたってフランジ部２３ａが径方向の外側に向けて突設されており、このフランジ部２３ａが、装着キャップ１１の天壁部１７の下面と、容器体２の口部２ａの開口端縁上のパッキン２４と、により上下方向に挟み込まれている。シリンダ２３の下端部内には、パイプ２５の上端部が嵌合されており、このパイプ２５の下端開口部が容器体２内の底部に位置している。
【００２２】
押下ヘッド１４は、頂壁部２６と、頂壁部２６の下面における中央部から下方に向けて延設されステム１２の上端部が嵌合された図示されない装着筒部と、頂壁部２６の外周縁から下方に向けて延設され装着筒部を径方向の外側から囲繞する外周壁部２８と、前記吐出部１４ａと、を備えている。
外周壁部２８の外径は、装着キャップ１１の案内部材２２の内径よりも小さくなっており、押下ヘッド１４の上下動に伴い、外周壁部２８が案内部材２２内を上下動するようになっている。
吐出部１４ａは筒状に形成されるとともに、その内部は、例えば前記装着筒部の内部等といった外周壁部２８の内側を通してステム１２の内部と連通している。なお、吐出部１４ａは、外周壁部２８とは別部材となっている。
【００２３】
本実施形態では、押下ヘッド１４に、吐出部１４ａを露出させた状態で該押下ヘッド１４を覆うカバー体１８が装着されている。カバー体１８は有頂筒状に形成され、このカバー体１８内に押下ヘッド１４が嵌合されている。また、カバー体１８の周壁部１８ａには貫通孔が形成されており、この貫通孔内に吐出部１４ａが挿通されてカバー体１８の周壁部１８ａから径方向の外側に突出している。
【００２４】
以上の構成において、押下ヘッド１４を押下すると、まずステム１２が下方に向けて移動させられる。このステム１２の移動に追従して、前記ピストン部材がシリンダ２３の内周面に摺接しつつ下方に移動する。これにより、シリンダ２３内の内容物が圧縮されてステム１２内に進入しこのステム１２内を上方に向けて移動する。そしてこの内容物は、外周壁部２８の内側を通って吐出部１４ａに到達し外部に吐出される。
その後、押下ヘッド１４の押下を解除すると、前記ピストン部材が前記付勢部材の上方付勢力によりシリンダ２３の内周面に摺接しつつ上方に向けて復元移動する。これにより、シリンダ２３内が減圧され、容器体２内の内容物がパイプ２５を通してシリンダ２３内に吸い上げられる。
【００２５】
そして本実施形態では、押下ヘッド１４に、径方向の外側に向けて環状体１９が突設され、この環状体１９の上面がカバー体１８の下端開口縁に径方向の全域にわたって対向している。環状体１９は、押下ヘッド１４のうちカバー体１８よりも下方に位置する部分に配設されている。本実施形態では、環状体１９は押下ヘッド１４の外周壁部２８の下端に配設されている。環状体１９は、周方向に沿って全周にわたって連続して延びる円環状に形成されており、この環状体１９の上面がカバー体１８の下端開口縁にその全域にわたって対向している。環状体１９の外径は、カバー体１８の下端開口縁の外径以上となっている。図示の例では、環状体１９の外径は、カバー体１８の下端開口縁の外径よりも大きくなっている。また、環状体１９は、カバー体１８よりも径方向の外側に突出して案内部材２２の内面に近接している。
環状体１９は、カバー体１８を形成する材質よりも硬度が低い軟質材で形成されている。例えば、環状体１９は合成樹脂材料等で形成され、カバー体１８は金属材料等で形成される。図示の例では、押下ヘッド１４および環状体１９は同一の材質で一体に形成されている。
さらに本実施形態では、カバー体１８の下端開口縁がその全域にわたって環状体１９上に載置されている。また、押下ヘッド１４の環状体１９は、押下ヘッド１４を押下している時および押下していない時の別を問わず常に案内部材２２内に位置している。
【００２６】
以上説明したように、本実施形態による吐出器１によれば、押下ヘッド１４に環状体１９が設けられているので、押下ヘッド１４およびカバー体１８と装着キャップ１１とが相対的に移動し、押下ヘッド１４およびカバー体１８が案内部材２２に接触しようとしたときに、カバー体１８の下端開口縁ではなく環状体１９が案内部材２２に接触することとなり、案内部材２２の損傷を防止することができる。
また本実施形態では、カバー体１８の下端開口縁が、環状体１９上に載置されていてこの環状体１９によって完全に被覆されているため、カバー体１８の下端開口縁に例えば研磨等の加工を施さなくても、案内部材２２の損傷を確実に防止することができる。
さらに本実施形態では、カバー体１８が金属材料で形成されているので、案内部材２２の損傷を防止する作用効果が顕著に奏されるとともに、この吐出器１に高級感を具備させることが可能になる。
【００２７】
なお、本発明の技術的範囲は前記実施の形態に限定されるものではなく、本発明の趣旨を逸脱しない範囲において種々の変更を加えることが可能である。
【００２８】
例えば、前記実施形態では、吐出部１４ａを押下ヘッド１４の外周壁部２８と別部材としたが一体にしてもよい。
また、ポンプ１３は前記実施形態に限らず、空気シリンダや空気ピストン等がポンプ１３に付け加えられたいわゆるフォーマポンプや、吐出部１４ａに霧化用のチップを設けたスプレーポンプ等としてもよい。
さらに前記実施形態では、環状体１９として、周方向に沿って全周にわたって連続して延びる円環状を示したが、これに代えて例えば、周方向に沿って全周にわたって断続的に延在する構成を採用してもよい。
さらにまた前記実施形態では、環状体１９の外径を、カバー体１８の下端開口縁の外径よりも大きくしたが、同等にしてもよい。
【００２９】
また、図２に示されるように、押下ヘッド１４に、径方向の外側に向けて回り止め突部３１を突設する一方、案内部材２２の内面に、回り止め突部３１が上下動自在に係合される縦溝３２を形成してもよい。
回り止め突部３１は、押下ヘッド１４の外周壁部２８の下端に径方向の外側に向けて突設されており、環状体１９よりも径方向の外側に突出している。また、回り止め突部３１および環状体１９それぞれの上下方向における大きさは互いに同等になっており、回り止め突部３１および環状体１９それぞれにおいて、各上端の上下方向位置は互いに同等とされ、各下端の上下方向位置も互いに同等となっている。縦溝３２は、案内部材２２の内周面における上下方向の全域にわたって延在している。
【００３０】
本実施形態による吐出器１によれば、回り止め突部３１が縦溝３２の内面に引っ掛かることで、押下ヘッド１４および装着キャップ１１の相対的な周方向の位置ずれを規制することが可能になるとともに、案内部材２２により押下ヘッド１４の上下動をより一層確実に案内させることができる。
また、吐出器１の組立て時に、回り止め突部３１を縦溝３２に係合させることで、押下ヘッド１４および装着キャップ１１の相対的な周方向の位置を容易かつ高精度に決めることができる。
【００３１】
さらに、図３および図４に示されるように、カバー体１８に回り止め突部３１が係合される係合孔３３を形成してもよい。
回り止め突部３１は、押下ヘッド１４の外周壁部２８の下端に径方向の外側に向けて突設されており、環状体１９よりも径方向の外側に突出している。さらに図示の例では、回り止め突部３１は、環状体１９よりも上下方向の大きさが大きくなっており、回り止め突部３１の上部は、環状体１９の上面よりも上方に位置し、かつ回り止め突部３１および環状体１９それぞれにおける各下端の上下方向位置は、互いに同等となっている。
係合孔３３は、カバー体１８の周壁部１８ａの下端部に形成された貫通孔とされ、径方向および下方の双方に向けて開口している。
以上より、押下ヘッド１４から吐出部１４ａを取り外した状態で、この押下ヘッド１４をその上側から、カバー体１８内に挿入することで、回り止めリブ３１が係合孔３３内に進入して係合されるようになっている。
【００３２】
本実施形態による吐出器１によれば、カバー体１８に回り止め突部３１が係合される係合孔３３が形成されているので、カバー体１８および押下ヘッド１４の相対的な周方向の位置ずれが規制され、また吐出器１の組立て時に、回り止め突部３１を係合孔３３に係合させることで、カバー体１８および押下ヘッド１４の相対的な周方向の位置を容易かつ高精度に決めることができる。
【００３３】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３４】
押下ヘッドの上下動を案内する案内部材がカバー体によって損傷するのを抑制することができる。
【符号の説明】
【００３５】
１  吐出器
２  容器体
２ａ  口部
１１  装着キャップ
１２  ステム
１３  ポンプ
１４  押下ヘッド
１４ａ  吐出部
１７  天壁部
１８  カバー体
１９  環状体
２２  案内部材
３１  回り止め突部
３２  縦溝
３３  係合孔
【図１】
0005393328.tif 000002
【図２】
0005393328.tif 000003
【図３】
0005393328.tif 000004
【図４】
0005393328.tif 000005